(57)【要約】　　　（修正有）【課題】折り畳み式であり、設営や収納が誰でも簡単に行えると共に、設営時において切妻形とし、特に中央上部の空間を広く設けることができる共に、上方からの圧力に対しても支持軸にて変形を防止することができ、かつはさみ形体に比べ軽量化できるため持ち運びにも便利な折り畳み式テントを提供する。【解決手段】４本以上の支柱２を設け、２つの切妻面３と２つの周面４とからなる折り畳み式テントであって、周面４には一端を支柱２の上部に連結した連結棒と、一端を支柱に設けた滑動部に連結してなる滑動棒とを中央部付近でピンにて枢着してなるＸ型リンク材６を少なくとも水平に２つ連設してなる周面枠５を、切妻面３においては同様なＸ型リンク材８を少なくとも２つ連設して山形状に形成し、頂部が支柱２の上端より上方に位置するように組み立てられる切妻枠７を設ける。【選択図】　図１
2004027803.tif 000002
【特許請求の範囲】
【請求項１】
４本以上の支柱を設け、２つの切妻面と２つの周面とからなる折り畳み式テントであって、周面には一端を支柱の上部に連結した連結棒と、一端を支柱に設けた滑動部に連結してなる滑動棒とを中央部付近でピンにて枢着してなるＸ型リンク材を少なくとも水平に２つ連設してなる周面枠を、切妻面においては同様なＸ型リンク材を少なくとも２つ連設して山形状に形成し、頂部が支柱の上端より上方に位置するように組み立てられる切妻枠を設けると共に、周面のＸ型リンク材の連設具より中央に向って山形状に形設する、一端を上連設具に連結する支持棒の他端部を、一端を下連設具に連結した立棒の中央部付近に可動自在に連結する支持材を少なくとも２つ連設してなる支持枠を設け、切妻面のＸ型リンク材の上連設具及び下連設具より中央に向って水平に形設する上記支持枠と同構成の水平支持枠を設けてなることを特徴とする折り畳み式テント。
【請求項２】
支持枠の相対向する２つの支持材の立棒の頂端を連結すると共に、立棒間に架設する支持軸を設けてなることを特徴とする請求項１記載の折り畳み式テント。
【請求項３】
水平支持枠の相対向する２つの支持材の立棒の頂端を連結すると共に、立棒に架設する支持軸を設けてなることを特徴とする請求項１又は２記載の折り畳み式テント。
【請求項４】
立棒の頂端部と支持軸とで三角形状を形成してなることを特徴とする請求項１又は２記載の折り畳み式テント。
【発明の詳細な説明】
【０００１】
【発明の属する技術分野】
本発明は、アウトドアやスポーツイベントに、様々な使用目的に応じて使用できる折り畳み式テントに関するものである。
【０００２】
【従来の技術】
従来の技術としては、特許第２９４９６４８号公報記載のような、折り畳めるシェルターであって、少なくとも３つの側面及び少なくとも３つの角を有する天蓋と、前記天蓋を支持する少なくとも３つの垂直配置の脚とを備え、前記脚のうちの１つは前記天蓋の角の各々の下に配置され、前記脚の各々は上端及び下端を有し、前記脚の各々に連結されたリンク部材の少なくとも２つの周辺トラス対を備え、リンク部材の前記周辺トラス対の各々は第一及び第二のリンク部材を有し、前記第一リンク部材は１つの前記脚の上端に連結された外端を有し、前記第二リンク部材は前記脚に滑動自在に連結された外端を有し、前記第一及び第二のリンク部材は、第一の折り畳み位置から前記脚の上に伸びる第二の伸長位置まで伸ばすことができるように、はさみ形体で互いに枢動自在に連結され、リンク部材の少なくとも２つの中央トラス対を備え、前記各中央トラス対は、はさみ形体で互いに連結された第一及び第二のリンク部材を有し、前記中央トラス対の各々は少なくとも１つの前記周辺トラス対の内端に連結され、前記第一及び第二のリンク部材は、第一の折り畳み位置から第二の伸長位置まで伸ばすことができるように、はさみ形体で互いに枢動自在に連結されており、シェルターの前記第二の伸長位置において、リンク部材の中央トラス対は、前記脚の上端の上に延びる、ことを特徴とする折り畳めるシェルター、が開示されている。
【０００３】
しかしながら、上記各中央トラス対は、はさみ形体で互いに連結された第一及び第二リンク部材を有している。
つまり、第一リンク部材（６６）の中央から先端にかけての部分が、シェルター内の特に上部の部分において邪魔になり、空間を有効利用できていない。
また、各中央トラス対は、はさみ形体であり、上方（頂部）からの圧力による変形を防ぐため、中央支持部材や頂ポール部材が必要となり、したがって構造が複雑になり、必然的にコスト高となる。
【０００４】
【発明が解決しようとする課題】
本発明は、上記実情を鑑みてなされたものであって、折り畳み式であり、設営や収納が誰でも簡単に行えると共に、設営時において切妻形とし、特に中央上部の空間を広く設けることができる共に、上方からの圧力に対しても支持軸にて変形を防止することができ、かつはさみ形体に比べ軽量化できるため持ち運びにも便利な折り畳み式テントを提供することを目的とする。
【０００５】
【課題を解決するための手段】
上記課題を解決するための手段として、４本以上の支柱を設け、２つの切妻面と２つの周面とからなる折り畳み式テントであって、周面には一端を支柱の上部に連結した連結棒と、一端を支柱に設けた滑動部に連結してなる滑動棒とを中央部付近でピンにて枢着してなるＸ型リンク材を少なくとも水平に２つ連設してなる周面枠を、切妻面においては同様なＸ型リンク材を少なくとも２つ連設して山形状に形成し、頂部が支柱の上端より上方に位置するように組み立てられる切妻枠を設けると共に、周面のＸ型リンク材の連設具より中央に向って山形状に形設する、一端を上連設具に連結する支持棒の他端部を、一端を下連設具に連結した立棒の中央部付近に可動自在に連結する支持材を少なくとも２つ連設してなる支持枠を設け、切妻面のＸ型リンク材の上連設具及び下連設具より中央に向って水平に形設する上記支持枠と同構成の水平支持枠を設けてなること。また、支持枠の相対向する２つの支持材の立棒の頂端を連結すると共に、立棒間に架設する支持軸を設けてなること。さらに、水平支持枠の相対向する２つの支持材の立棒の頂端を連結すると共に、立棒に架設する支持軸を設けてなること。その上、立棒の頂端部と支持軸とで三角形状を形成してなることを特徴とする。
【０００６】
【発明の実施の形態】
１は、４本の支柱２を設け、２つの切妻面３と２つの周面４とからなる折り畳み式テントである。
５は、周面４に設けた周面枠で、一端を支柱２の上部の固定部２ａにピン２ａ１にて連結したパイプによる連結棒５ａと、一端を支柱２に設けた滑動部２ｂの取付片２ｂ１にピン２ｂ１ａにて連結したパイプによる滑動棒５ｂとを中央部でピン５ｃにて枢着してなるＸ型リンク材６を少なくとも２つ、上連設具５ｄ及び下連設具５ｄ１にて水平に連結してなる。
なお、連結棒５ａと滑動棒５ｂは同じ長さとする。
７は、切妻面３に設けた切妻枠で、上記と同様なＸ型リンク材８を２つ連設具７ｄのピン７ｄ１にて連設して山形状に形成し、頂部７ｅが支柱２の上端より上方に位置するよう組み立てられるもので、Ｘ型リンク材８は一端を支柱２の上部の固定部２ｃにピン２ｃ１にて連結したパイプによる連結棒７ａと、一端を支柱２に設けた滑動部２ｂの取付片２ｂ２にピン２ｂ２ａにて連結したパイプによる滑動棒７ｂとを中央部でピン７ｃにて枢着してなるものである。
なお、滑動棒７ｂの方が、連結棒７ａより長くするものである。
９は、周面４のＸ型リンク材６の上連設具５ｄ及び下連設具５ｄ１より中央に向って山形状の形設する支持枠で、一端を上連設具５ｄの連設片５ｄａにピン５ｄａ１にて連結するパイプによる支持棒９ａの他端部を、一端を下連設具５ｄ１の連設片５ｄ１ａのピン５ｄ１ａ１に連結するパイプによる立棒９ｂの中央部付近にピン９ｃにて可動自在に連結した支持材１０を２つ連設してなるもので、立棒９ｂ・９ｂの頂端を頂端連設具９ｄのピン９ｄ１にて連結してある。
１１は、立棒９ｂ・９ｂ間の上部に架設してなるワイヤーによる支持軸で、立棒９ｂ・９ｂの頂端部９ｅと支持軸１１で三角形状に形成してなる。
１２は、切妻面３のＸ型リンク材８の上連設具７ｄ及び下連設具７ｄ１より中央に向って水平に形設する水平支持枠で、一端を上連設具７ｄの連設片７ｄａにピン７ｄａ１にて連結するパイプによる支持棒１２ａの他端部を、一端を下連設具７ｄ１の連設片７ｄ１ａにピン７ｄ１ａ１にて連結するパイプによる立棒１２ｂの中央部付近にピン１２ｃにて可動自在に連結した支持材１３を２つ連設してなるもので、立棒１２ｂ・１２ｂの頂端を頂端連設具１２ｄのピン１２ｄ１にて連結してある。
１４は、立棒１２ｂ・１２ｂ間の上部に架設してなるワイヤーによる支持軸で、立棒１２ｂ・１２ｂの頂端部１２ｅと支持軸１４で三角形状を形成している。
【０００７】
なお、滑動部２ｂは、支柱２内に設けた圧縮スプリング１５ａにより出入する係止ピン１５ｂとからなるストッパー１５にて係止支持されるものである。
また、Ｋはテント布による屋根カバーで示す。
さらに、別の実施例として、複数の孔２２ａを縦方向に穿設してなる支柱２２内に上下動するスライド支柱２２ｄを設け、スライド支柱２２ｄ内に孔２２ａに出入する圧縮スプリング１６ａ及び係止ピン１６ｂとからなるストッパー１６を設けてなる。
これは、支柱２２の高さを使用用途によって変更できるものである。
さらに、他の実施例として、支持軸１７をワイヤーではなく、平板１７ａ・１７ａを中央にてピン１７ｂ止めしてなるもので、ワイヤーより剛性を有するものである。
なお、本発明の折り畳み式テント１は中央上部の空間Ａを広く設けることができ、剛性を有しながら広く使用できる。
【０００８】
つぎに、上記折り畳み式テント１の使用例について述べる。
まず、組立手順としては、各支柱２を横方向に広げ、各滑動部２ｂを上方に移動させ、滑動部２ｂがストッパー１５を通過した時点で係止ピン１５ｂが突出し、滑動部２ｂが係止支持される。
この状態で、周面枠５、切妻枠７、支持枠９、水平支持枠１２がセットされる。
なお、予め屋根カバーＫは支柱２の上部に凸凹テープ（図示せず）等により設けてある。
つぎに、折り畳む時はストッパー１５の係止ピン１５ｂを押えることにより滑動部２ｂが下がり、周面枠５、切妻枠７、支持枠９、水平支持枠１２を折り畳むことができるものである。
【０００９】
なお、上記実施例において、支持軸１１・１４・１６はワイヤーや平板に限定することなく、他のものでも良い。
また、滑動部・各連設具等は、同様な機能を有するものであれば特に限定しない。
【００１０】
【発明の効果】
１）、折り畳み式であり、設営や収納が誰でも簡単にできると共に、支持枠及び水平支持枠の構造により、中央上部の空間を広く設けることができ、有効利用できる。
２）、支持軸により上方からの押力に対しても変形することなく、特に三角形状にすることにより、剛性を有する。
３）、軽量化でき、コストダウンにつながる。
【図面の簡単な説明】
【図１】本発明の実施例を示す折り畳み式テントの周面枠の正面図。
【図２】本発明の実施例を示す折り畳み式テントの切妻枠の側面図。
【図３】本発明の実施例を示す折り畳み式テントの支持枠の側面図。
【図４】本発明の実施例を示す折り畳み式テントの水平支持枠の正面図。
【図５】本発明の実施例を示す折り畳み式テントの平面図。
【図６】本発明の実施例を示す折り畳み式テントの滑動部の一部縦断正面図。
【図７】本発明の他の実施例を示す折り畳み式テントの支柱要部の一部縦断正面図。
【図８】本発明の他の実施例を示す折り畳み式テントの支持軸の正面図。
【図９】本発明の実施例を示す折り畳み式テントの折り畳みかけた状態の正面図。
【符号の説明】
１−−−折り畳み式テント
２−−−支柱
３−−−切妻面
４−−−周面
５−−−周面枠
６−−−Ｘ型リンク材
７−−−切妻枠
８−−−Ｘ型リンク材
９−−−支持枠
１０−−支持材
１１−−支持軸
１２−−水平支持枠
１３−−支持材
１４−−支持軸
１５−−ストッパー
１６−−ストッパー
【図１】
2004027803.tif 000003
【図２】
2004027803.tif 000004
【図３】
2004027803.tif 000005
【図４】
2004027803.tif 000006
【図５】
2004027803.tif 000007
【図６】
2004027803.tif 000008
【図７】
2004027803.tif 000009
【図８】
2004027803.tif 000010
【図９】
2004027803.tif 000011